(57)【要約】  部品実装機本体（１２）を基台（１１）上に滑り機構（１６）を介して載置し、部品実装機本体（１２）の稼働時の反力に応じて部品実装機本体（１２）が基台（１１）上を滑動するようにする。滑り機構（１６）は、基台（１１）上に２つの滑り部材（１７）を設けると共に、部品実装機本体（１２）の底部の４箇所に設けた脚部（１８）を２つの滑り部材（１７）の上面に載置して滑動させる。滑り部材（１７）は、基台（１１）上に部品実装機本体（１２）の出し入れ方向に延びるように設けられ、該滑り部材（１７）の上面は、最も低い部分が部品実装機本体（１２）の出し入れ方向である前後方向に延びる凹曲面状に形成され、部品実装機本体（１２）の出し入れ時に部品実装機本体（１２）の脚部（１８）が滑り部材（１７）の上面の最も低い部分に沿って部品実装機本体（１２）の出し入れ方向にスライドする。
2015198372.tif 000002
【特許請求の範囲】
【請求項１】
基台上に生産機械本体を載置した生産機械において、  前記生産機械本体の移動体が移動した時の反力に応じて前記生産機械本体が前記基台上を滑動する滑り機構を設けたことを特徴とする生産機械。
【請求項２】
前記滑り機構は、前記基台上に該基台よりも摩擦係数の小さい滑り易い材料で形成した滑り部材を設けると共に、前記生産機械本体の底部に設けた脚部を前記滑り部材の上面に載置して滑動させるように構成されていることを特徴とする請求項１に記載の生産機械。
【請求項３】
前記滑り部材は、前記基台上に前記生産機械本体の出し入れ方向である前後方向に延びるように設けられ、  前記滑り部材の上面は、最も低い部分が前記生産機械本体の出し入れ方向に延びる凹曲面状に形成され、前記生産機械本体の出し入れ時に前記生産機械本体の脚部が前記滑り部材の上面の最も低い部分に沿って前記生産機械本体の出し入れ方向にスライドするように構成されていることを特徴とする請求項２に記載の生産機械。
【請求項４】
前記基台上を滑動した前記生産機械本体を所定位置に戻すように前記生産機械本体を前記所定位置の方向へ付勢する戻し付勢機構を設けたことを特徴とする請求項１乃至３のいずれかに記載の生産機械。
【請求項５】
前記戻し付勢機構は、前記基台上に弾性部材を設けると共に、前記弾性部材を前記生産機械本体の底部に連結機構により切り離し可能に連結し、前記弾性部材の弾性力により前記生産機械本体を前記所定位置の方向へ付勢するように構成されていることを特徴とする請求項４に記載の生産機械。
【請求項６】
前記基台上にワークの搬送方向に沿って複数の生産機械本体を載置し、各生産機械本体から搬出するワークを隣の生産機械本体の搬入口に向かって案内する搬送案内部材を設けたことを特徴とする請求項１乃至５のいずれかに記載の生産機械。
【請求項７】
前記生産機械本体は、回路基板に部品を実装又は組み立てる部品実装機本体又は部品組立機本体であることを特徴とする請求項１乃至６のいずれかに記載の生産機械。
【発明の詳細な説明】
【技術分野】
【０００１】  本発明は、基台上に生産機械本体を載置した生産機械に関する発明である。
【背景技術】
【０００２】  近年、例えば、複数の部品実装機を配列した部品実装ラインにおいては、生産する品種の多様化に対応して部品実装機の入れ替えを容易にするために、特許文献１（特許第４７４６１４８号公報）に示すように、基台上に回路基板の搬送方向に沿って複数のモジュール型の部品実装機本体を入れ替え可能に載置するようにしたものがある。
【先行技術文献】
【特許文献】
【０００３】
【特許文献１】特許第４７４６１４８号公報
【発明の概要】
【発明が解決しようとする課題】
【０００４】  ところで、部品実装機本体は、その天井部に設けたＸＹスライド機構に装着ヘッドを吊り下げて支持し、ＸＹスライド機構により装着ヘッドをＸ方向やＹ方向に移動させて、部品供給装置から供給される部品を装着ヘッドで吸着して回路基板に実装するようにしているため、装着ヘッドの加減速時や停止時の反力が部品実装機本体の天井部に作用して部品実装機本体の筐体が歪み、装着ヘッドの位置とコンベアで搬入された回路基板の位置との間に相対的な位置ずれが生じて、部品装着精度が低下するという問題があった。この問題は、生産性向上のために装着ヘッドの移動速度を高速化するほど、装着ヘッドの加減速時や停止時の反力が大きくなるため、大きな問題となる。【０００５】  従来、このような問題を解決する手段として、部品実装機本体の筐体の剛性を高める対策を施して、装着ヘッドの加減速時や停止時の反力による部品実装機本体の筐体の歪みを小さくするようにしていた。その結果、部品実装機本体の大型化・幅広化や、補強部品によるコスト高を招いていた。【０００６】  そこで、本発明が解決しようとする課題は、生産機械本体（部品実装機本体等）の小型化・幅狭化や低コスト化を実現できる生産機械を提供することである。
【課題を解決するための手段】
【０００７】  上記課題を解決するために、本発明は、基台上に生産機械本体を載置した生産機械において、前記生産機械内部の移動体が移動した時の反力に応じて前記生産機械本体が前記基台上を滑動する滑り機構を設けた構成としたものである。この構成では、生産機械内部の移動体が移動した時の反力に応じて生産機械本体が基台上を滑り機構により滑動するため、移動体の移動によって生じる反力を、生産機械本体が基台上を滑動する運動エネルギに変換することができ、生産機械本体の筐体に蓄積される弾性エネルギ（歪みエネルギ）を大幅に低減できる。これにより、生産機械本体の筐体の歪み量を大幅に低減できて、生産機械本体内の移動体（装着ヘッド等）の位置とワークの位置との間の相対的な位置ずれを小さくすることができ、生産精度を向上できる。その結果、生産機械本体の筐体を従来のように補強する必要がなくなり、生産機械本体の小型化・幅狭化や低コスト化を実現できる。【０００８】  この場合、滑り機構は、基台上に該基台よりも摩擦係数の小さい滑り易い材料で形成した滑り部材を設けると共に、生産機械本体の底部に設けた脚部を前記滑り部材の上面に載置して滑動させるように構成しても良い。このようにすれば、滑り機構を極めて簡単な構成で且つ安価に構成できる。【０００９】  また、滑り部材を、基台上に生産機械本体の出し入れ方向である前後方向に延びるように設けると共に、該滑り部材の上面を、最も低い部分が生産機械本体の出し入れ方向に延びる凹曲面状に形成し、前記生産機械本体の出し入れ時に前記生産機械本体の脚部が前記滑り部材の上面の最も低い部分に沿って前記生産機械本体の出し入れ方向にスライドするように構成しても良い。このようにすれば、滑り部材を、生産機械本体の出し入れを案内する案内部材としても利用することができる。【００１０】  また、本発明は、基台上を滑動した生産機械本体を所定位置に戻すように生産機械本体を前記所定位置の方向へ付勢する戻し付勢機構を設けるようにすると良い。このようにすれば、基台上の生産機械本体の滑動範囲が広がり過ぎるのを戻し付勢機構により防止することができ、基台上の生産機械本体の滑動範囲を適正範囲内に制限することができる。【００１１】  この場合、戻し付勢機構は、基台上に弾性部材を設けると共に、前記弾性部材を生産機械本体の底部に連結機構により切り離し可能に連結し、前記弾性部材の弾性力により前記生産機械本体を前記所定位置の方向へ付勢するように構成しても良い。このようにすれば、基台上を生産機械本体が所定位置からどの様な方向へ滑動しても、弾性部材の弾性力により生産機械本体を滑動前の所定位置の方向へ戻すことができる。【００１２】  また、本発明は、基台上にワークの搬送方向に沿って複数の生産機械本体を載置し、各生産機械本体から搬出するワークを隣の生産機械本体の搬入口に向かって案内する搬送案内部材を設けた構成としても良い。このようにすれば、複数の生産機械本体が稼働時の反力により互いに異なる方向に滑動しても、各生産機械本体間のワークの受け渡しを搬送案内部材によりスムーズに行うことができる。【００１３】  本発明は、様々な生産機械に適用可能であり、例えば、回路基板に部品を実装又は組み���てる部品実装機や部品組立機に本発明を適用しても良い。前述したように、部品実装機や部品組立機は、筐体の天井部に設けたＸＹスライド機構に装着ヘッドを吊り下げるようにしているため、従来構造のままで装着ヘッドの移動速度を高速化すると、装着ヘッドの加減速時や停止時に筐体に作用する反力が大きくなって筐体の歪み量が大きくなり、装着ヘッドの位置と回路基板の位置との間の相対的な位置ずれが大きくなって、部品装着精度が低下する。本発明を部品実装機や部品組立機に適用して、部品装着精度低下の原因となる筐体の歪み量を大幅に減少させれば、部品装着精度を向上できる。
【図面の簡単な説明】
【００１４】
【図１】図１は本発明の一実施例を示す部品実装機の斜視図である。
【図２】図２は基台の斜視図である。
【図３】図３は戻し付勢機構の構成を説明する斜視図である。
【図４】図４は戻し付勢機構のクランプ完了後の状態を示す斜視図である。
【図５】図５は図４と同じ状態を弾性部材を取り除いて示す斜視図である。
【図６】図６は図４と同じ状態を斜め下方から見た斜視図である。
【図７】図７は搬送案内機構の一例を示す平面図である。
【図８】図８は搬送案内機構の他の例を示す平面図である。
【図９】図９は滑り機構の他の例を示す縦断面図である。
【発明を実施するための形態】
【００１５】  以下、本発明を実施するための形態を部品実装システムに適用して具体化した一実施例を説明する。
【００１６】  まず、図１に基づいて部品実装システム全体の構成を説明する。  部品実装システムは、基台１１上に、回路基板１３（ワーク：図７参照）の搬送方向に沿って複数の部品実装機本体１２（生産機械本体）が出し入れ可能に載置される構成となっている。各部品実装機本体１２は、回路基板１３を搬送するコンベア１４（図７参照）と、実装する部品を供給する部品供給装置（図示せず）等を備え、各部品実装機本体１２の天井部に設けたＸＹスライド機構（図示せず）に装着ヘッド（図示せず）を吊り下げて支持させ、ＸＹスライド機構により装着ヘッドをＸ方向やＹ方向に移動させて、部品供給装置から供給される部品を装着ヘッドで吸着して回路基板１３に実装するようにしている。
【００１７】  各部品実装機本体１２は基台１１上に滑り機構１６を介して載置され、各部品実装機本体１２の稼働時（具体的には装着ヘッドの加減速時や停止時）に発生する反力に応じて各部品実装機本体１２が基台１１上を滑り機構１６により滑動するようになっている。滑り機構１６は、図１、図２、図５、図６に示すように、基台１１上に複数の滑り部材１７を設けると共に、部品実装機本体１２の底部の例えば４箇所に設けた脚部１８を２つの滑り部材１７の上面に載置して滑動させるように構成されている。滑り部材１７は、基台１１上に載置する部品実装機本体１２毎に２つずつ設けられ、基台１１よりも摩擦係数の小さい滑り易い材料（摩擦係数が例えば０．１以下、より好ましくは０．０３程度）で且つ耐摩耗性に優れた材料（例えばフッ素系樹脂）で形成されている。滑り部材１７は、基台１１上に部品実装機本体１２の出し入れ方向である前後方向に延びるように設けられていると共に、該滑り部材１７の上面は、最も低い部分が部品実装機本体１２の出し入れ方向に延びる凹曲面状に形成され、部品実装機本体１２の出し入れ時に部品実装機本体１２の脚部１８が滑り部材１７の上面の最も低い部分に沿って部品実装機本体１２の出し入れ方向にスライドするように構成されている。これにより、滑り部材１７は、部品実装機本体１２の出し入れを案内する案内部材としても機能するようになっている。また、部品実装機本体１２の脚部１８の下端面は、滑り部材１７上を滑りやすいように鍋底状の丸みのある形状に形成されている。
【００１８】  更に、図３乃至図６に示すように、基台１１上を滑動した部品実装機本体１２を所定位置（滑動前の位置）に戻す手段として、部品実装機本体１２を前記所定位置の方向へ付勢する戻し付勢機構２１が１箇所又は複数箇所（例えば前後２箇所）に設けられている。戻し付勢機構２１は、基台１１上に棒状の弾性部材２２を上向きに固定すると共に、該弾性部材２２の上部を部品実装機本体１２の底部に連結機構２３により切り離し可能に連結し、該弾性部材２２の弾性力により部品実装機本体１２を前記所定位置の方向へ付勢するように構成されている。弾性部材２２は、耐久性と復元率（弾性率）が高い弾性材料（例えばシリコーン等を適切に配合したゴム系材料）で形成されている。
【００１９】  連結機構２３は、弾性部材２２の上部に連結バー２４を左右方向に貫通して固定すると共に、連結バー２４の両端部を嵌合する一対の断面コ字形のガイドレール２５を、部品実装機本体１２の底面部に該部品実装機本体１２の出し入れ方向である前後方向に延びるように固定し、更に、部品実装機本体１２の底面部には、連結バー２４の両端部を連結金具２６で引っ掛けて該部品実装機本体１２を前記所定位置まで引き込む引き込み装置２７を設けた構成となっている。部品実装機本体１２を出し入れするときには、引き込み装置２７を動作させて連結金具２６を連結バー２４から外した位置へ移動させた後、部品実装機本体１２の脚部１８を滑り部材１７上を前後方向に滑らせて部品実装機本体１２を出し入れする。この際、連結バー２４の両端部がガイドレール２５に沿ってスライドするため、連結バー２４の両端部にローラを回転可能に設けて、このローラをガイドレール２５に嵌合して、連結バー２４の両端部とガイドレール２５との間の摩擦抵抗を低減するようにしても良い。
【００２０】  図７に示すように、部品実装機本体１２の搬出口２８からコンベア１４で搬出する回路基板１３を隣の部品実装機本体１２の搬入口２９に向かって案内する搬送案内部材３０が該部品実装機本体１２の搬出口２８の側縁部に回動可能に取り付けられ、該搬送案内部材３０の先端部が隣の部品実装機本体１２の搬入口２９の側縁部に係合等により連結されている。これにより、各部品実装機本体１２の滑動に応じて搬送案内部材３０が回動変位して、各部品実装機本体１２間の回路基板１３の受け渡しが搬送案内部材３０によって案内される。
【００２１】  以上説明した本実施例によれば、基台１１上に滑り機構１６を介して部品実装機本体１２を載置し、部品実装機本体１２の稼働時の反力に応じて部品実装機本体１２が基台１１上を滑動するように構成したので、部品実装機本体１２の装着ヘッド移動時の反力を、部品実装機本体１２が基台１１上を滑動する運動エネルギに変換することができ、部品実装機本体１２の筐体に蓄積される弾性エネルギ（歪みエネルギ）を大幅に低減できる。これにより、部品実装機本体１２の筐体の歪み量を大幅に低減できて、部品実装機本体１２の装着ヘッドの位置とワークの位置との間の相対的な位置ずれを小さくすることができ、部品装着精度を向上できる。その結果、部品実装機本体１２の筐体を従来のように補強する必要がなくなり、部品実装機本体１２の小型化・幅狭化や低コスト化を実現できる。
【００２２】  しかも、本実施例では、滑り機構１６は、基台１１上に摩擦係数の小さい滑り易い材料で形成した滑り部材１７を設けると共に、部品実装機本体１２の底部に設けた脚部１８を滑り部材１７の上面に載置して滑動させるように構成したので、滑り機構１６を極めて簡単な構成で且つ安価に構成できる利点がある。
【００２３】  また、本実施例では、滑り部材１７を、基台１１上に部品実装機本体１２の出し入れ方向である前後方向に延びるように設けると共に、該滑り部材１７の上面を、最も低い部分が部品実装機本体１２の出し入れ方向に延びる凹曲面状に形成し、部品実装機本体１２の出し入れ時に部品実装機本体１２の脚部１８が滑り部材１７の上面の最も低い部分に沿って部品実装機本体１２の出し入れ方向にスライドするように構成したので、滑り部材１７を、部品実装機本体１２の出し入れを案内する案内部材としても利用することができ、部品実装機本体１２の出し入れ作業を容易に行うことができる。
【００２４】  また、本実施例では、基台１１上を滑動した部品実装機本体１２を所定位置に戻す手段として、部品実装機本体１２を所定位置（滑動前の位置）の方向へ付勢する戻し付勢機構２１を設けるようにしたので、基台１１上の部品実装機本体１２の滑動範囲が広がり過ぎるのを戻し付勢機構２１により防止することができ、基台１１上の部品実装機本体１２の滑動範囲を適正範囲内に制限することができる。
【００２５】  しかも、戻し付勢機構２１は、基台１１上に弾性部材２２を設けると共に、この弾性部材２２を部品実装機本体１２の底部に連結機構２３により切り離し可能に連結し、前記弾性部材２２の弾性力により部品実装機本体１２を前記所定位置の方向へ付勢するように構成したので、基台１１上を部品実装機本体１２が所定位置からどの様な方向へ滑動しても、弾性部材２２の弾性力により部品実装機本体１２を滑動前の所定位置の方向へ戻すことができる。
【００２６】  また、本実施例では、基台１１上に回路基板１３の搬送方向に沿って複数の部品実装機本体１２を並べて載置し、部品実装機本体１２の搬出口２８からコンベア１４で搬出する回路基板１３を隣の部品実装機本体１２の搬入口２９に向かって案内する搬送案内部材３０を設けた構成としたので、複数の部品実装機本体１２が稼働時の反力により互いに異なる方向に滑動しても、各部品実装機本体１２間の部品実装機本体１２の受け渡しを搬送案内部材３０によりスムーズに行うことができる。
【００２７】  本実施例では、搬送案内部材３０を該部品実装機本体１２の搬出口２８の側縁部に回動可能に取り付けるようにしたが、図８に示すように、部品実装機本体１２の滑動に応じて柔軟に湾曲変形するローラ式ガイド３１を搬送案内部材として用い、部品実装機本体１２の搬出口２８とその隣の部品実装機本体１２の搬入口２９との間をローラ式ガイド３１で接続し、部品実装機本体１２の搬出口２８からコンベア１４で搬出する回路基板１３をローラ式ガイド３１によって隣の部品実装機本体１２の搬入口２９に向かって案内するようにしても良い。このようにしても、各部品実装機本体１２間の部品実装機本体１２の受け渡しをスムーズに行うことができる。
【００２８】  また、本実施例の滑り機構１６では、部品実装機本体１２の脚部１８の下端面を、滑り部材１７上を滑りやすいように鍋底状の丸みのある形状に形成したが、図９に示す滑り機構３３のように、部品実装機本体１２の脚部１８の下端部にボール３２を下方に突出させるように回転可能に設け、基台１１上に部品実装機本体１２を載置して該部品実装機本体１２の荷重をボール３２で受け支えさせることで、部品実装機本体１２の稼働時の反力に応じて部品実装機本体１２を基台１１上をボール３２の回転により滑動させるようにしても良い。この場合は、基台１１上に滑り部材１７を設けなくても良い。
【００２９】  尚、本発明は、部品実装機に限定されず、回路基板にコネクタ等の部品を組み立てる部品組立機に適用しても良く、更には、生産機械本体の稼働時の反力により生産機械本体の筐体が歪んで生産精度が低下する可能性のある生産機械に広く適用して実施できる。
【００３０】  その他、本発明は、基台１１の上面のほぼ全面に滑り部材を設けたり、或は、部品実装機本体１２の脚部１８の本数を増加させても良い等、要旨を逸脱しない範囲内で種々変更して実施できることは言うまでもない。
【符号の説明】
【００３１】  １１…基台、１２…部品実装機本体（生産機械本体）、１３…回路基板１３（ワーク）、１４…コンベア、１６…滑り機構、１７…滑り部材、１８…脚部、２１…戻し付勢機構、２２…弾性部材、２３…連結機構、２４…連結バー、２５…ガイドレール、２６…連結金具、２７…引き込み装置、２８…搬出口、２９…搬入口、３０…搬送案内部材、３１…ローラ式ガイド（搬送案内部材）、３２…ボール、３３…滑り機構
【図１】
2015198372.tif 000003
【図２】
2015198372.tif 000004
【図３】
2015198372.tif 000005
【図４】
2015198372.tif 000006
【図５】
2015198372.tif 000007
【図６】
2015198372.tif 000008
【図７】
2015198372.tif 000009
【図８】
2015198372.tif 000010
【図９】
2015198372.tif 000011
【国際調査報告】
2015198372.tif 000012
2015198372.tif 000013
2015198372.tif 000014
2015198372.tif 000015